(57)【要約】【課題】一斉呼び出しモードにおいて、呼出子機と応答した子機と、他の子機間の情報共有を図るができるワイヤレスインターカムシステムを提供する。【解決手段】  ワイヤレスインターカムシステム１は主装置２と、主装置２と通信可能な複数の子機４を備える。子機４は他の子機４との通信モードの設定を行うモード設定部４２を有する。音声処理部２３は、音声混合部２３２と音声配信部２３３を有する。一斉通話モードにおいて、音声混合部２３２は呼出子機４Ｃと応答子機４Ａ間の通話音声を混合し、音声配信部２３３は混合された通話音声を呼出子機４Ｃ、応答子機４Ａおよび他の子機４に対して配信する。【選択図】図１
2019192990.tif 000002
【特許請求の範囲】
【請求項１】
主装置と、前記主装置と親機を経由して通信可能な複数の子機と、を備えるワイヤレスインターカムシステムであって、
前記子機は、個別通話モード及び一斉通話モードを含む複数のモードの中から、任意のモードを設定するモード設定部を備え、
前記主装置は音声処理部を備え、
前記音声処理部は、
前記モード設定部が設定したモードに従い、呼出子機に対応する応答子機の設定を行う応答子機設定部と、
呼出子機と応答子機間の通話音声を混合する音声混合部と、
通話の配信対象となる子機の選定を行う音声配信部と、
を備え、
前記一斉通話モードにおいて、前記音声混合部は前記呼出子機と前記応答子機間の通話音声を混合し、前記音声配信部は混合された通話音声を前記呼出子機、前記応答子機および他の子機に対して配信することを特徴とするワイヤレスインターカムシステム。
【請求項２】
前記子機は、複数の子機の集合であるグループに所属し、
前記一斉通話モードにおける前記他の子機は、前記呼出子機及び／または前記応答子機が所属するグループに属するすべての子機であることを特徴とする請求項１に記載のワイヤレスインターカムシステム。
【請求項３】
前記一斉通話モードにおける前記他の子機は、前記呼出子機及び前記応答子機が所属するグループ以外のグループに属するすべての子機であることを特徴とする請求項１または請求項２に記載のワイヤレスインターカムシステム。
【発明の詳細な説明】
【技術分野】
【０００１】
本発明は、無線通信により音声信号を伝送するワイヤレスインターカムシステムに関する。
【０００２】
ワイヤレスインターカムシステムとは、複数のユーザが同時に通話可能な相互通信システムであり、放送局、コンサートホール、劇場やスタジアムなど、広いスペースを有する構内において用いられている。ワイヤレスインターカムシステムは、主装置と、該主装置に接続される複数の親機と、親機に接続される複数の子機とからなる。各ユーザが移動端末として子機を持つことで、前記のような構内で即時性の高い情報伝達を実現している。
【０００３】
例えば特許文献１に示すように、多数の子機を備えたインターカムシステムにおいては、数台から１０台程度の子機を１グループとして、そのグループを複数個設けている。従来の複数グループを有するインターカムシステムでは、インターカムモード、個別通話モード、及び一斉通話モードの３つのモードでの運用が可能である。インターカムモードとは、すなわち複数の子機が形成するグループ内を範囲とする同時相互通話で、同一グループに属する複数の子機は他の子機の通話内容を聞くことができる。一方、個別通話モードとは、通話対象となる子機を指定して行う２台の子機による相互通話であり、たとえ同一グループの子機であってもその通話内容を聞くことはできない。一斉通話モードとは、１台の子機が自分のグループも含めた複数グループ内の子機に対する呼び出しを行い、応答した子機（以下、特許請求の範囲も含めて応答子機と言う）との同時相互通話である。この場合は呼び出しをした子機（以下、特許請求の範囲も含めて呼出子機と言う）と応答子機間の通話のみが可能である。
【先行技術文献】
【特許文献】
【０００４】
【特許文献１】特開２００５−９４４１９号公報
【発明の概要】
【発明が解決しようとする課題】
【０００５】
しかしながら、従来の複数のグループを有するインターカムシステムでは、その一斉通話モードの際に、呼び出しに対して応答子機は、グループ内通話か、個別通話モードの何れかの選択しか行えなかった。そのため、個別通話モードを選択した場合には呼出子機のみとの通話を行うこととなる。つまり、呼出子機と応答子機との通話は、他の子機に対して配信されない。そのため、同じグループに属する子機であっても、一斉呼び出しを行った呼出子機と一斉呼び出しに応えた応答子機との通話内容を受信することができない。
【０００６】
さらに、従来技術では、一斉呼ひ出しを行った呼出子機に対して他の子機が応答している間は、それ以外の子機間の通話は、インターカムモードか個別通話モードとなる。そのため、一斉呼び出しを行った呼出子機と応答子機においても、他の子機間の会話を聞くことができず、他の子機間の通話内容を反映させた通話を、呼出子機と応答子機間で展開することはできなかった。
【０００７】
このように、従来の複数グループを備えたインターカムシステムにおいては、一斉呼び出しモードにおける子機間の情報の伝達が十分ではなく、インターカムシステムの特徴である他者との情報共有を十分に発揮ができないという問題点があった。
【０００８】
本発明は、上記のような従来技術の問題点を解決するために提案されたものであり、一斉呼び出しモードにおいて、呼出子機と応答子機間だけでなく、他の子機間でも情報共有を図るができるワイヤレスインターカムシステムを提供することにある。
【課題を解決するための手段】
【０００９】
本発明にかかるワイヤレスインターカムシステムは次の構成を有する。
（１）主装置と、前記主装置と親機を経由して通信可能な複数の子機。
（２）前記子機は、個別通話モード及び一斉通話モードを含む複数のモードの中から、任意のモードを設定するモード設定部を備える。
（３）前記主装置は音声処理部を備え、
（４）前記音声処理部は、
前記モード設定部が設定したモードに従い、呼出子機に対応する応答子機の設定を行う応答子機設定部と、
呼出子機と応答子機間の通話音声を混合する音声混合部と、
通話の配信対象となる子機の選定を行う音声配信部と、
を備える。
（５）前記一斉通話モードにおいて、前記音声混合部は前記呼出子機と前記応答子機間の通話音声を混合し、前記音声配信部は混合された通話音声を前記呼出子機、前記応答子機および他の子機に対して配信する。
【００１０】
本発明の次の実施態様も包含する。
（１）前記子機は、複数の子機の集合であるグループに所属し、前記一斉通話モードにおける前記他の子機は、前記呼出子機及び／または前記応答子機が所属するグループに属するすべての子機である。
（２）前記一斉通話モードにおける前記他の子機は、前記呼出子機及び前記応答子機が所属するグループ以外のグループに属するすべての子機である。
【発明の効果】
【００１１】
以上の様な本実施形態本発明のワイヤレスインターカムシステムは、一斉呼び出しモードにおいて、呼出子機と応答子機と、その他の子機間での漏れのない情報共有可能とすることができる。
【図面の簡単な説明】
【００１２】
【図１】第１実施形態におけるワイヤレスインターカムシステムの構成を示すブロック図である。
【図２】第１実施形態の子機の構成を示すブロック図である。
【図３】第１実施形態の主装置の構成を示すブロック図である。
【図４】第１実施形態の音声処理部の構成を示すブロック図である。
【図５】第１実施形態の音声配信部において、合成した音声信号の配信対象となる子機を示すブロック図である。
【図６】第１実施形態において、ユーザが子機において一斉通話モードを選択した際のワイヤレスインターカムシステムの動作を示すフローチャートである。
【図７】第１実施形態において、一斉通話モードにおける応答子機を設定する手順を示すフローチャートである。
【図８】第２実施形態の音声配信部において、合成した音声信号の配信対象となる子機を示すブロック図である。
【発明を実施するための形態】
【００１３】
以下、本発明に係るワイヤレスインターカムシステムの実施形態について図面を参照して説明する。
【００１４】
［１．第１の実施形態］
［１−１．構成］
［１−１−１．システムの全体構成］
図１に示すように、本実施形態のワイヤレスインターカムシステムは、主装置２と、これに接続された複数台の親機３と、各親機３に接続された複数台の子機４を備える。複数台の子機４は１つの親機３のもとにグループ化されている。なお、本明細書では、すべての子機に共通な事項の説明の場合は「子機４」、呼出側の子機を特定する場合は「子機４Ｃ」、応答側の子機を特定する場合は「子機４Ａ」と記載する。また、子機４Ｃが属するグループを「グループＧＣ」、子機４Ａが属するグループを「グループＧＡ」と記載する。
【００１５】
本実施形態では、主装置２が親機３を介して、複数の子機４の間の通話を制御する。複数の子機４の間の通話は、次のようなモードを有する。
(1)呼出側と応答側の２台の子機４Ｃ，４Ａ間において双方向同時通話を行う個別通話モード。
(2)グループ内のすべての子機４間で双方向同時通話を行うインターカムモード。
(3)呼出側の子機４Ｃが自己の属するグループＧＣ及び他のグループ内のすべての子機４に対する呼び出しを行い、呼び出しに応答した応答子機４Ａが現れた場合、呼出子機４Ｃと応答子機４Ａが双方向同時相互通話し、その通話内容がグループＧＣの呼出子機４Ｃ以外の他の子機４及びグループＧＡの応答子機４Ａ以外の他の子機４に対して配信されると共に、グループＧＣ及びグループＧＡのグループ内通話が呼出子機４Ｃと応答子機４Ａに対して配信される一斉通話モード。
【００１６】
本実施形態の一斉通話モードでは、呼出子機４Ｃと応答子機４Ａ間の通話は、グループＧＣの他の子機４及びグループＧＡの他の子機４に対して配信される。ここで、他の子機とは、呼出子機４Ｃと応答子機４Ａ以外の子機を指す。また、グループＧＣの他の子機４及びグループＧＡの他の子機４は、各グループ内での通話を可能とする。呼出子機４Ｃと応答子機４Ａは、各グループで行われる他の子機４間のグループ内通話を受信可能とする。
【００１７】
主装置２は、親機３を介して各子機４間の音声信号やデータ信号の通信を確立する。各子機４間の音声通話は、各モードに応じた方式で、子機４間に配信される。データ信号には、信号を出力した子機４のグループ番号や個体識別番号が含まれる。主装置２は、音声信号を子機４のグループ番号や個体識別番号を参照して、通信対象となる子機４に対して配信する。
【００１８】
親機３は、主装置２と有線で接続される。主装置２に接続される親機３の台数は、ワイヤレスインターカムシステム１を運用するエリアの広さに応じて設定することができる。図１では、すべての親機３が主装置２と有線で接続されているが、必ずしも有線で接続されなくても良い。親機３は、各子機４との無線通信を行う。親機３が行う無線通信は、例えば２．４ＧＨｚ帯を使用する。親機３は、図示しない無線通信用の送信部と受信部とを有する。親機３は、主装置２から出力された音声信号やテータ信号が含まれる信号を無線信号として各子機４に伝達するとともに、各子機４から出力された無線信号を受信し、受信した信号を主装置２に対して出力する。
【００１９】
子機４は、音声信号の入力部であるマイクと、音声信号の出力部となるスピーカーを備える。図１に示すように、グループＧ１に子機４１ａ、子機４１ｂ・・・が含まれ、グループＧ２に子機４２ａ、子機４２ｂ・・・が含まれ、グループＧ３に子機４３ａ、子機４３ｂ・・・が含まれ、グループＧ４に子機４４ａ、子機４４ｂ・・・が含まれる。この場合１つの親機３に１つのグループＧ１が設けられていても良いし、１つの親機３に複数のグループＧ２，Ｇ３が設けられていても良い。ユーザは、図示しない切替部を操作することで、各々の子機４のグループ番号の設定を行うことにより、それぞれの子機４をどのグループに所属させるかを決定する。
【００２０】
［１−１−２．子機の構成］
図２は、子機の構成を示すブロック図である。図２に示すように、子機４は、グループ設定部４１、モード設定部４２、コマンド送信部４３、コマンド受信部４４、呼び出し音駆動部４５、一斉呼び出し応答ボタン４６、及び一斉呼び出し終了ボタン４７を備える。
【００２１】
グループ設定部４１は、子機４がどのグループに属するかの設定を行う。グループ設定部４１は、図示しないタッチパネルやダイヤルやボタンなどのインターフェースを介したユーザの入力を受け付け、子機４が属するグループの選択を行う。
【００２２】
モード設定部４２は、インターフェースを介したユーザの入力を受け付け、子機４の通信モードの設定を行う。モード設定部４２は、個別通話モード、インターカムモード、及び一斉通話モードの３つのモードを含む複数のモードの中から、任意のモードを設定し、そのモードに応じた運用を行う。
【００２３】
コマンド送信部４３は、設定したモードに応じたコマンドであるモード設定コマンドをデータ信号として親機３に対して出力する。データ信号は、マイクから入力した音声信号に付して親機３に対して出力されても良い。モード設定コマンドとは、モード設定部４２において設定されたモードの種類、及び子機４の所属するグループを示す識別子である。コマンドには、子機４を識別するための識別子を含める。
【００２４】
モード設定部４２は、ユーザからの選択だけでなく、コマンド受信部４４からの切替信号Ｓに応じたモードの選択を行う。コマンド受信部４４は、親機３を介した主装置２からのデータ信号を受信し、データ信号に含まれるコマンド信号の抽出を行う。コマンド受信部４４は、抽出したコマンドに基づいた切替信号Ｓをモード設定部４２に対して出力する。モード設定部４２は、切替信号Ｓに基づいて、個別通話モード、インターカムモード、及び一斉通話モードの切り替えを行う。
【００２５】
モード設定部４２の設定が切替信号Ｓに基づいて一斉通話モードに切り替わった場合には、モード設定部４２は、呼び出し音駆動部４５に対して駆動指示を出力するとともに、一斉呼び出し応答ボタン４６からの信号の入力を受け付ける。一斉呼び出し応答ボタン４６からの信号を受信した場合には、一斉呼び出し終了ボタン４７からの入力を受け付ける。
【００２６】
モード設定部４２は、一斉呼び出し応答ボタン４６、及び一斉呼び出し終了ボタン４７からの入力があった場合には、各入力に応じたコマンドを生成する。すなわち、一斉呼び出し応答ボタン４６からの入力があった場合には、一斉呼び出しに対して応答意思ありとのコマンドである一斉呼出応答コマンドを生成する。一斉呼び出し終了ボタン４７からの入力があった場合には、一斉呼び出しに対する応答が終了したことを示す一斉呼出終了コマンドを生成する。モード設定部４２で生成されたコマンドは、コマンド送信部より、主装置２に対して出力される。
【００２７】
［１−１−３．主装置の構成］
図３は、主装置の構成を示すブロック図である。図３に示すように、主装置２は、コマンド受信部２１、モード設定部２２、音声処理部２３、コマンド送信部２４を備える。
【００２８】
コマンド受信部２１は、親機３で受信した信号の中から音声信号とデータ信号を分離し、データ信号に含まれるコマンド信号の抽出を行う。コマンド受信部２１は、抽出したコマンド信号に基づいて、モード設定部２２に対して切替信号Ｓを出力する。
【００２９】
モード設定部２２は、切替信号Ｓに基づいて、個別通話モード、インターカムモード、及び一斉通話モードの３つのモードを含む複数のモードの中から、任意のモードを設定する。
【００３０】
音声処理部２３は、モード設定部２２で選択されたモードに応じで以下の動作を行う。
（１）応答子機の設定
（２）呼出子機−応答子機の音声混合
（３）呼出子機−応答子機の音声配信
（４）呼出子機−応答子機に対する他子機の通話の配信
【００３１】
（１）〜（４）の動作を実現するために、音声処理部２３は、図４に示すように応答子機設定部２３１、呼出子機−応答子機の音声混合部２３２、呼出子機−応答子機間の音声配信と、呼出子機−応答子機に対する他の子機間の音声配信を制御する音声配信部２３３を備える。
【００３２】
応答子機設定部２３１は、子機４において新たなモードの設定が行われた場合に、モード設定用のコマンドを発した呼出子機４Ｃに応答する応答子機４Ａの設定を行う。応答子機設定部２３１における応答子機４Ａの設定は、モード設定コマンドを発した子機４の識別子と、他の子機４の識別子を参照して行われる。具体的には、次の通りである。
(1) 個別通話モード
例えば、子機４１ａのモードが子機４３ｃとの個別通話モードに設定された場合は、応答子機設定部２３１は子機４３ｃを応答子機４Ａとして設定する。
(2) インターカムモード
グループＧ１に所属する子機４１ａのモードがインターカムモードに設定された場合には、応答子機設定部２３１は、グループＧ１に所属する全ての子機４１ａ〜４１ｎを応答子機４Ａとして設定する。
(3) 一斉通話モード
子機４１ａのモードが一斉通話モードに設定された場合には、子機４１ａが呼出子機４Ｃとなる。応答子機設定部２３１は、主装置２と通信可能な子機４１ａ〜４４ｎを応答子機の中から応答コマンドを出力した子機４（例えば子機４３ｃ）を応答子機４Ａとして設定する。応答子機４Ａの設定に際しては、呼出子機４Ｃとの通話の対象となる子機４１ａ〜４４ｎに対して、コマンド送信部２４より対象子機４の呼び出し音を鳴らすコマンドが送信される。コマンドを受信した子機４では呼出音が鳴り、子機４３ｃのユーザが呼び出し応答ボタン４６を押す。これにより、子機４３ｃが応答子機４Ａとして設定される。応答子機４Ａが設定された後、グループＧＣ内の呼出子機４Ｃ以外の他の子機４と、グループＧＡ内の応答子機４Ａ以外の他の子機４では、各グループ内の他の子機４間で通話可能なモードに設定される。
【００３３】
音声混合部２３２は、モード設定コマンドを発した呼出子機４Ｃと応答子機４Ａとの識別子を参照し、それぞれの音声信号の混合を行う。
【００３４】
音声配信部２３３は、合成した音声信号を、モード設定コマンドを発した呼出子機４Ｃと対象となる応答子機４Ａに対して配信する。具体的には、次の通りである。
(1) 個別通話モード
例えば、子機４１ａと子機４３ｃとの個別通話では、子機４１ａと子機４３ｃとに対して混合した音声信号を配信する。
(2) インターカムモード
子機４１ａでインターカムモードが設定された場合には、インターカムモードを設定した子機４１ａが所属するグループ内の全子機４に対して音声信号を配信する。グループＧ１のインターカム通話では、子機４１ａと子機４１ｂとの音声信号をグループＧ１に所属する子機４１ａ〜４１ｎに対して配信する。
(3) 一斉通話モード
一斉通話モードでは、配信対象を２段階とする。すなわち、子機４１ａが呼出子機４Ｃとして一斉呼び出しを行う段階と、子機４３ｃが応答子機４Ａとして設定された以降の段階である。図５（ａ）に示すように、一斉呼び出しを行う段階では、主装置２と通信可能なすべてのグループの子機４１ａ〜４４ｎに対して呼出子機４１ａからの音声信号を配信する。そして、子機４３ｃが応答子機４Ａとして設定された後は、図５（ｂ）に示すように、呼び出した子機４１ａと応答した子機４３ｃとの音声信号を、子機４１ａが属するグループＧ１の他の子機４と、子機４３ｃが属するグループＧ３に所属する他の子機４に対して音声信号を配信する。一方、グループＧ１の子機４１ａ以外の他の子機４と、グループＧ３の子機４３ｃ以外の他の子機４は、ぞれぞれのグループ間での通話を可能とする。音声配信部２３３は、グループＧ１のグループ間での通話と、グループＧ３のグループ間での通話を子機４１ａと子機４３ｃに対して配信する。
【００３５】
［１−２．作用］
以上の様な構成を有する本実施形態のワイヤレスインターカムシステム１における動作について説明する。
【００３６】
（１）一斉通話モード
図６は、本実施形態におけるワイヤレスインターカムシステム１において、ユーザが子機４において一斉通話モードを選択した際の動作を示すフローチャートである。初めに、グループＧ１内の子機４の一台において、一斉通話モードが選択される（Ｓ０１）。一斉通話モードは、子機４が所属するグループＧ１を超えて他の子機４と通信したい場合に選択するモードである。一斉通話モードを選択した子機４を図１の子機４１ａとすると、この子機４１ａが呼出子機４Ｃとなる。
【００３７】
次に、子機４１ａから主装置２に対してモード設定コマンドが出力される（Ｓ０２）。モード設定コマンドは、無線通信を介して子機４１ａから主装置２へと伝送されるデータ信号が付される。子機４１ａと主装置２間の無線通信は、親機３を介して行われる。
【００３８】
主装置２では、受信したデータ信号に含まれるモード設定コマンドを受信する（Ｓ０３）。コマンド受信部２１は、データ信号内のモード設定コマンドを抽出し、抽出したモード設定コマンドに基づく切替信号Ｓをモード設定部２２に出力する。主装置２では、切替信号Ｓに基づいて運用モードの選択を行う。モード設定部２２は、切替信号Ｓに基づいて運用モードの選択を一斉通話モードへと切り替える（Ｓ０４）。
【００３９】
次に、主装置２で選択したモードに応じた、子機４３ｃを応答子機４Ａとして設定する（Ｓ０５）。応答子機４Ａの設定は、音声処理部２３の応答子機設定部２３１により行われる。
【００４０】
一斉呼び出しに応答する子機４が設定された後、呼出子機４Ｃと応答子機４Ａ間の音声通話を確立する。音声通話は、主装置２に対して伝送された音声信号を混合し、混合した音声信号を配信することで行う。一斉通話モードの場合には、呼出子機４Ｃである子機４１ａと応答子機４Ａである子機４３ｃとの間の音声通話を混合する（Ｓ０６）。そして、混合した音声通話を呼出子機４Ｃである子機４１ａが属するグループＧ１内の他の子機４と、呼出子機４Ａである子機４３ｃが属するグループＧ３内の他の子機４に対して配信する（Ｓ０７）。
【００４１】
一方、グループＧ１内の他の子機４とグループＧ３内の他の子機４においては、通話モードがグループ内通話に設定される。他の子機４間の通話は、各グループ内に配信されるだけでなく、呼出子機４Ｃである子機４１ａと応答子機４Ａである子機４３ｃに対しても配信される（Ｓ０８）。
【００４２】
この呼出子機４Ｃによる一斉通話モードは、呼出子機４Ｃである子機４１ａ及び呼出子機４Ａである子機４３ｃの何れかにおいて一斉呼び出し終了ボタンが押されることで終了する（Ｓ０９）。
【００４３】
（２）一斉通話モードにおける応答子機の設定
図７は、本実施形態におけるワイヤレスインターカムシステム１において、一斉通話モードにおける応答子機設定部２３１の動作を示すフローチャートである。
【００４４】
一斉通話モードにおいて、応答子機設定部２３１は、呼出子機４Ｃからの設定指示を受信すると（Ｓ１１）、ワイヤレスインターカムシステム１内の全子機４に対して、子機４の運用モードを一斉通話モードに変更するためのコード設定コマンドを送信する（Ｓ１２）。コマンド信号は、主装置２と子機４間で伝送されるデータ信号に含まれ、各子機４へと伝送される。
【００４５】
各子機４のコマンド受信部４４は、受信したデータ信号に含まれるモード設定コマンドの抽出を行う。コマンド受信部４４は、抽出したモード設定コマンドに基づく切替信号Ｓをモード設定部へと出力する。そして、モード設定部では、子機４の運用モードを切替信号Ｓに基づいて一斉通話モードへと変更する（Ｓ１４）。
【００４６】
運用モードを一斉通話モードへと切り替えた場合、モード設定部は呼び出し音駆動部に対して駆動指示を出力し、呼び出し音駆動部４５を駆動させる（Ｓ１５）。また、呼び出し音駆動部４５に対して駆動指示を出力したモード設定部４２は、一斉呼び出し応答ボタン４６からの入力を受け付ける（Ｓ１６）。ユーザが一斉呼び出し応答ボタン４６を押圧すると（Ｓ１６のＹＥＳ）、一斉呼び出し応答ボタン４６を押圧したことにより生じた信号がモード設定部４２へ出力される。一斉呼び出し応答ボタン４６からの入力を受け付けたモード設定部４２は、呼び出し音駆動部４５へ停止信号を出力するとともに、主装置２に対して、一斉呼び出し応答コマンドを送信する（Ｓ１８）。一方、ユーザが一斉呼び出し応答ボタン４６を押圧しない場合には（Ｓ１６のＮＯ）、所定の時間呼び出し音駆動部４５を駆動させ続け、応答の無い場合には、子機４の運用モードを、一斉呼び出しが行われる以前のモード、例えばインターカムモードへと移行させる（Ｓ１７）。
【００４７】
一方、主装置２のコマンド受信部２１では、子機４から出力されたデータ信号の中から一斉呼出応答コマンドを抽出する（Ｓ１９）。一斉呼出応答コマンドには、子機４の識別子が付されている。また、複数の子機４より、一斉呼出応答コマンドを受信した場合には、最も早く一斉呼出応答コマンドを送信した子機４を応答子機４Ａと設定する（Ｓ２０）。
【００４８】
［１−３．効果］
以上の様な本実施形態のワイヤレスインターカムシステム１は次のような効果を有する。
（１）一斉呼び出しモードにおいて、呼出子機４Ｃと応答子機４Ａとの通話内容を、呼出子機４Ｃが属するグループＧＣ内の他の子機４及び応答子機４Ａが属するグループＧＡ内の他の子機４においても共有するともに、グループＧＣの他の子機４間の通話内容及びグループＧＡの他の子機４間の通話内容を呼出子機４Ｃと応答子機４Ａにおいても共有することで、情報共有に漏れのないワイヤレスインターカムシステムを提供する。
【００４９】
（２）すなわち、本実施形態のワイヤレスインターカムシステム１においては、主装置１において、一斉通話モードの際の呼出子機４Ｃと応答子機４Ａとの通話をグループＧＣ内の他の子機４とグループＧＡの他の子機４に対して、配信する音声配信部２３３を備える。その為、従来のワイヤレスインターカムシステム１においては、個別通話となり呼出子機４Ｃと応答子機４Ａ以外には配信されなかった通信内容が、グループＧＣ内の他の子機４やグループＧＡ内の他の子機４においても聞くことが可能となる。これにより、ワイヤレスインターカムシステム１内での情報共有を図ることが可能となる。
【００５０】
［２．第２の実施形態］
［２−１．構成］
以下では、図８を参照しつつ、本実施形態に係るワイヤレスインターカムシステム１について説明する。本実施形態は、第１の実施形態と同じ構成であるが、応答子機４Ａの設定後に呼出子機４Ｃと応答子機４Ａとの通話を配信し、グループ間の通話を応答子機４Ａ及び呼出子機４Ｃに対して配信する対象となる他の子機４を変更したものである。本実施形態では、他の子機４を呼出子機４Ｃが属するグループＧＣ内の他の子機４のみとした。
【００５１】
本実施形態の応答子機設定部２３１は、一斉通話モードにおいて、モード設定コマンドを発した呼出子機４Ｃに応答する子機４Ａの設定を以下のように行う。本実施形態においても呼出子機は、子機４１ａとする。
【００５２】
一斉通話モードにおいて応答子機設定部２３１は、呼出子機４Ｃに応答した子機４３ｃを応答子機４Ａとして設定した際、呼出子機４Ｃである子機４１ａ以外のグループＧ１内の他の子機４のモードを、グループＧ１内の子機４と通話可能なモードに設定する。
【００５３】
前実施形態と同様に、図８（ａ）に示すように、子機４１ａが呼出子機４Ｃとして一斉呼び出しを行う段階では、音声配信部２３３は、主装置２と通信可能なすべてのグループの子機４１ａ〜４４ｎに対して混合した呼出子機４１ａからの音声信号を配信する。そして、子機４３ｃが応答子機４Ａとして設定された後は、図８（ｂ）に示すように、呼び出した子機４１ａと応答した子機４３ｃとの音声信号を、子機４１ａが属するグループＧ１の他の子機４に対して配信する。一方、グループＧ１の子機４１ａ以外の他の子機４は、グループ間での通話を可能とする。音声配信部２３３は、グループＧ１のグループ間での通話を子機４１ａと子機４３ｃに対して配信する。
【００５４】
［２−２．作用効果］
以上の様な本実施形態のワイヤレスインターカムシステム１は次のような効果を有する。
【００５５】
本実施形態のワイヤレスインターカムシステム１の音声配信部２３３は、一斉通話モードの際の呼出子機４Ｃと応答子機４Ａとの通話を、呼出子機４Ｃが属するグループＧＣの他の子機４に対して配信する。その為、従来のワイヤレスインターカムシステム１においては、配信されなかった呼出子機４Ｃと応答子機４Ａとの通信内容が、グループＧＣの呼出子機４Ｃ以外の他の子機４においても聞くことが可能となる。また、グループＧＣのグループ内通話を呼出子機４Ｃ及び応答子機４Ａにおいて受信することが可能となる。これにより、ワイヤレスインターカムシステム１内での情報共有を図ることができる。
【００５６】
［３．第３の実施形態］
［３−１．構成］
本実施形態に係るワイヤレスインターカムシステム１は、第１の実施形態と同じ構成であるが、応答子機４Ａの設定後に呼出子機４Ｃと応答子機４Ａとの通話を配信し、グループ間の通話を応答子機４Ａ及び呼出子機４Ｃに対して配信する対象となる他の子機４を変更したものである。本実施形態では、他の子機４を呼出子機４Ｃが属するグループＧＣ内の他の子機４、応答子機４Ａが属するグループＧＡ内の他の子機４、グループＧＣ及びグループＧＡ以外のグループ内の子機４とした。
【００５７】
本実施形態の応答子機設定部２３１は、一斉通話モードにおいて、モード設定コマンドを発した呼出子機４Ｃに応答する応答子機４Ａの設定を以下のように行う。本実施形態においても呼出子機は、子機４１ａとする。
【００５８】
一斉通話モードにおいて応答子機設定部２３１は、呼出子機４Ｃに応答した子機４３ｃを応答子機４Ａとして設定した際、呼出子機４Ｃである子機４１ａ以外のグループＧ１内の他の子機４と、応答子機４Ａである子機４３ｃのグループＧ３内の他の子機４と、グループＧ１及びグループＧ３以外の子機４のモードを、各グループ内の子機４と通話可能なモードに設定する。
【００５９】
前実施形態と同様に、子機４１ａが呼出子機４Ｃとして一斉呼び出しを行う段階では、音声配信部２３３は、主装置２と通信可能なすべてのグループの子機４１ａ〜４４ｎに対して混合した呼出子機４１ａからの音声信号を配信する。そして、子機４３ｃが応答子機４Ａとして設定された後は、呼び出した子機４１ａと応答した子機４３ｃとの音声信号を、子機４１ａと子機４３ｃ以外の他の子機４に対して配信すると共に、各グループ内の子機４間のグループ通話を、呼出子機４Ｃと応答子機４Ａに対して配信する。
【００６０】
［３−２．作用効果］
以上の様な本実施形態のワイヤレスインターカムシステム１は次のような効果を有する。
【００６１】
本実施形態のワイヤレスインターカムシステム１の音声配信部２３３は、一斉通話モードの際の呼出子機４Ｃと応答子機４Ａとの通話を、呼出子機４Ｃと応答子機４Ａ以外の他の子機４に対して配信する。その為、従来のワイヤレスインターカムシステム１においては、配信されなかった呼出子機４Ｃと応答子機４Ａとの通信内容が、呼出子機４Ｃと応答子機４Ａ以外の他の子機４においても聞くことが可能となる。また、各グループ内の子機４間のグループ通話を呼出子機４Ｃ及び応答子機４Ａにおいて受信することが可能となる。これにより、ワイヤレスインターカムシステム１内での情報共有を図ることができる。
【００６２】
［４．他の実施形態］
本明細書においては、本発明に係る複数の実施形態を説明したが、これらの実施形態は例として提示したものであって、発明の範囲を限定することを意図していない。具体的には、発明の範囲を逸脱しない範囲で、種々の省略や置き換え、変更を行うことができる。これらの実施形態やその変形は、発明の範囲や要旨に含まれると同様に、特許請求の範囲に記載された発明とその均等の範囲に含まれるものである。
【００６３】
例えば、第１の実施形態として、ワイヤレスインターカムシステム１は、個別通話モード、インターカムモード、及び一斉通話モードを通話モードとして選択可能としたが、他の通話モードを選択可能に構成されていても良い。また、通話モードとしては、必ずしもインターカムモードは必要ない。例えば、個別通話モードと一斉通話モードのみを備えるワイヤレスシステムにおいても、本実施形態を適用することは可能である。
【符号の説明】
【００６４】
１…ワイヤレスインターカムシステム
２…主装置
２１…コマンド受信部
２２…モード設定部
２３…音声処理部
２４…コマンド送信部
２３１…応答子機設定部
２３２…音声混合部
２３３…音声配信部
３…親機
４…子機
４Ｃ…呼出子機
４Ａ…応答子機
４１…グループ設定部
４２…モード設定部
４３…コマンド送信部
４４…コマンド受信部
４５…呼び出し音駆動部
４６…一斉呼び出し応答ボタン
４７…一斉呼び出し終了ボタン
【図１】
2019192990.tif 000003
【図２】
2019192990.tif 000004
【図３】
2019192990.tif 000005
【図４】
2019192990.tif 000006
【図５】
2019192990.tif 000007
【図６】
2019192990.tif 000008
【図７】
2019192990.tif 000009
【図８】
2019192990.tif 000010